Podtech/llm-jp-corpus-v4-ja_patent huggingface dataset:
(57)【要約】      （修正有）【課題】缶詰ポークを安全に切断でき、多種類のポーク缶商品からポーク肉をスムーズに取り出せることができる缶詰ポークの切断加工具を提供する。【解決手段】缶詰ポーク切断加工具は、ガイド板Ａと取手Ｂと本体２辺の板刀Ｃ１、Ｃ２と缶切突起Ｄを有し、缶詰ポークＰを横にした状態で板刀Ｃ１で取手Ｂをにぎり上部から下部方向に力を加えて薄く又は厚く切断できる。また缶詰ポークを縦にした状態で板刀Ｃ２で加工具全体をにぎり上部から下部方向に力を加えて薄く又は厚く切断できる。さらに缶切突起Ｄで多種類のポーク缶商品Ｅの缶底に穴を開けて空気を取り入れることができる。【選択図】図３
0003191566.tif 000002
【実用新案登録請求の範囲】
【請求項１】
ガイド板Ａと取手Ｂと本体２辺の板刀Ｃ１、Ｃ２と缶切突起Ｄを有し、缶詰ポークＰを横にした状態で板刀Ｃ１で取手Ｂをにぎり上部から下部方向に力を加えて薄く又は厚く切断と缶詰ポークＰを縦にした状態で切断できるのと板刀Ｃ２で加工具全体をにぎり上部から下部方向に力を加えて切断する。缶切突起Ｄで缶詰ポーク缶の缶底に穴を開けることができることを有している特徴とする缶詰ポーク切断加工具。
【考案の詳細な説明】
【技術分野】  本発明は、缶詰ポークを板状、長方体、さいの目状に安全に切断する缶詰ポークの切断加工具に関するものである。又、多種類の缶詰ポークの商品からポーク肉をスムーズに取り出せることができる切断加工具に関するものである。
【背景技術】  缶詰ポークを板状、長方体、さいの目状に切断する場合従来包丁で切断しているので、指を切るなど怪我をすることがある。又一定の力を加えないと切断困難な面も有り安全とは言えなかった。多種類の缶詰ポーク缶蓋を開封しても缶の中は真空状態でポーク肉と缶とが密着しポーク肉を缶から取り出すのに困難な面も有りポーク肉を缶から取り出すのに安全とは言えなかった。
【先行技術文献】
【特許文献】
【特許文献】  特許第５２２４２２５号  公開  出願番号  特願  ２０１２−２２４５３５  出願日  平成２４年９月２０日  登録日  平成２５年３月２２日  識別番号  ５１２２６１１１５  実用新案登録  出願番号  実願  ２０１３−００２９８９  出願日  平成２５年５月１０日  登録日  平成２５年７月１０日
【考案の概要】
【考案が解決しようとする課題】  本発明は従来の問題点を解決するためになされたので、缶詰ポークを安全に切断できるのと多種類のポーク缶商品からポーク肉をスムーズに取り出すことのできる缶詰ポークの切断加工具を提供することを課題とする。
【課題を解決しようとするための手段】
本発明が提供する缶詰ポーク切断加工具は、ガイド板Ａと取手Ｂと２辺の板刀Ｃ１、Ｃ２と缶切突起Ｄを有し、缶詰ポークＰを横にした状態で板刀Ｃ１で取手Ｂをにぎり上部から下部方向に力を加えて薄く又は厚く切断できるのと缶詰ポークＰを縦にした状態で板刀Ｃ２で加工具全体をにぎり上部から下部方向に力を加えて薄く又は厚く切断できる。缶切突起Ｄで多種類のポーク缶の缶底に穴を開けることができることを有していることが特徴とするものである。
【考案の効果】
料理のメニューに合った切断も可能になり、従来の包丁使用でのカット作業よりも安全で危険の除去にもなり、カット作業の時間も短縮になる。又子供、年輩者でも楽に安全で切断作業が可能になる。又、缶詰ポーク缶を開封する前に缶切突起Ｄで缶底に２個以上の穴を開け缶の中の真空状態を、空気を取り入れることで缶とポーク肉の密着度を排除することになり、多種類のポーク缶商品からポーク肉をスムーズに取り出せることができる。
【図面の簡単な説明】
【図１】缶詰ポーク缶Ｅの缶底に穴を開ける切断加工具の動作を示す平面図
【図２】缶詰ポーク缶Ｅの穴に空気が入る切断加工具の動作を示す側面図
【図３】缶詰ポーク缶Ｅの穴に空気が入る切断加工具図２の動作を示す正面図
【図４】空気が入った缶詰ポーク缶Ｅの缶蓋を開け缶Ｅからポーク肉が落ちる正面図
【図５】缶詰ポークＰを横にした状態で切断加工具と切断の動作を示す平面図
【図６】缶詰ポークＰを横にした状態で切断加工具と切断の動作を示す正面図
【図７】缶詰ポークＰを横にした状態で切断加工具図６の動作を示す側面図
【図８】缶詰ポークＰを縦にした状態で切断加工具と切断の動作を示す平面図
【図９】缶詰ポークＰを縦にした状態で切断加工具と切断の動作を示す側面図
【図１０】缶詰ポークＰを縦にした状態で切断加工具図９の動作を示す正面図
【考案を実施するための形態】
以下本発明の缶詰ポーク切断加工具を図面によって説明する。
【切断加工具の構成】
図１，２，３，４，５，６，７，８，９，１０において図１，２，３，缶切突起Ｄで缶詰ポーク缶Ｅの缶底に２個以上の穴を開け空気を取り入れる。図４，ポーク缶Ｅの缶蓋Ｇを開封し缶Ｅからポーク肉がスムーズに落ちる構成となる。図５，６，７，缶詰ポークＰを横にした状態で切断できる板刀Ｃ１と図８，９，１０，缶詰ポークＰを縦にした状態で切断できる板刀Ｃ２があり自由な肉厚サイズの切断位置を決め取手Ｂに上部から下部方向へ力を加え切断できる構成となる。
【図１】
0003191566.tif 000003
【図２】
0003191566.tif 000004
【図３】
0003191566.tif 000005
【図４】
0003191566.tif 000006
【図５】
0003191566.tif 000007
【図６】
0003191566.tif 000008
【図７】
0003191566.tif 000009
【図８】
0003191566.tif 000010
【図９】
0003191566.tif 000011
【図１０】
0003191566.tif 000012
【手続補正書】
【提出日】平成26年2月5日(2014.2.5)
【手続補正１】
【補正対象書類名】実用新案登録請求の範囲
【補正対象項目名】請求項１
【補正方法】変更
【補正の内容】
【請求項１】
「缶詰ポーク（Ｐ）を横にした状態で切断すための第１の板刃（Ｃ）と、缶詰ポークを縦にした状態で切断するための第２の板刃（２）と、缶詰ポーク缶の缶底に穴を開けるための缶切突起（Ｄ）と、を備えた缶詰ポーク切断加工具であって，取手（Ｂ）を備えたガイド板（Ａ）と前記第１の板刃（Ｃ１）とを対向する長辺とし、前記第２の板刃（２）と下部に前記缶突起（Ｄ）を設けた板とを対向する短辺とした、略長方形状の缶詰ポーク切断加工具。」
【手続補正書】
【提出日】平成26年4月3日(2014.4.3)
【手続補正１】
【補正対象書類名】実用新案登録請求の範囲
【補正対象項目名】全文
【補正方法】変更
【補正の内容】
【実用新案登録請求の範囲】
【請求項１】
缶詰ポーク（Ｐ）を横にした状態で切断するため第１の板刃（Ｃ１）と、缶詰ポークを縦にした状態で切断するための第２の板刃（Ｃ２）と、缶詰ポーク缶の缶底に穴を開けるための缶切突起（Ｄ）と、を備えた缶詰ポーク切断加工具であって、取手（Ｂ）を備えたガイド版（Ａ）と前記第１の板刃（Ｃ１）とを対向する長辺とし、前記第２板刃（Ｃ２）と下部に前記缶突起（Ｄ）を設けた板とを対向する短辺とした、略長方形状の缶詰ポーク切断加工具。
(57)【要約】      （修正有）【課題】甚だコンパクトでいかなる空間においても即座に有効に使用でき、更にはアロマテラピーや広告媒体にもなるような、多目的に適用できる使い勝手の良い収納袋を提供する。【解決手段】片手で容易に持てる程度の寸法で揮発物非透過性シート１から成る密閉状収納袋においてその内部に揮発性有用物質２を収納するとともに、該揮発物非透過性シート１の適宜箇所に切れ込みないし貫通孔３を設け、その箇所の上に揮発物非透過性の粘着ないし仮接着シート４を貼着して、本考案の揮発性有用物質を収納したコンパクト収納袋Ａとする。また該密閉状収納袋を平坦状にしてその片（裏）外面に、外部に対し着脱容易な付着具を設ける。【選択図】図１
0003191562.tif 000002
【実用新案登録請求の範囲】
【請求項１】
片手で容易に持てる程度の寸法で揮発物非透過性シートから成る密閉状収納袋においてその内部に揮発性有用物質を収納するとともに、該揮発物非透過性シートの適宜箇所に切れ込みないし貫通孔を設け、その箇所の上に揮発物非透過性の粘着ないし仮接着シートを貼着して成ることを特徴とする揮発性有用物質を収納したコンパクト収納袋。
【請求項２】
密閉状収納袋が平坦状であり、かつその片外面に、外部に対し着脱容易な付着具を設けた請求項１記載の揮発性有用物質を収納したコンパクト収納袋。
【考案の詳細な説明】
【技術分野】
【０００１】この考案は、消臭や除菌、或いは芳香性の揮発性有用物質を使い勝手の良い形態で収納したコンパクト収納袋に関する。
【背景技術】
【０００２】従来より各種の消臭剤、防虫剤、除菌剤、芳香剤などが様々な容器に収納され商品化されているのは周知の通りである。ただそれらのなかで、ロッカーや履物箱等のような限られた密閉空間において使いやすいものはあまり見当たらず、何の工夫もないものをただ収めるか、或いは使わずに我慢していることが多いのが現状である。
【考案の開示】
【考案が解決しようとする課題】
【０００３】本考案はかかる現状に鑑み、甚だコンパクトでいかなる空間においても即座に有効に使用でき、更にはアロマテラピーや広告媒体にもなるような、多目的に適用できる使い勝手の良い収納袋を提供することを課題とする。
【課題を解決するための手段】
【０００４】例えば名刺やカードサイズの、片手で容易に持てる程度の寸法で揮発物非透過性シート１から成る密閉状収納袋においてその内部に揮発性有用物質２を収納するとともに、該揮発物非透過性シート１の適宜箇所に切れ込みないし貫通孔３を設け、その箇所の上に揮発物非透過性の粘着ないし仮接着シート４を貼着して、本考案の揮発性有用物質を収納したコンパクト収納袋Ａとする。【０００５】ここでいう揮発性有用物質２とは、有用な香りや滅菌消臭作用等を有する揮発物を常温で発散する固体もしくは液体含有物のことであって、これを該揮発物を透過させないシート（フィルムの意味も合む）で挟むように収めて解放辺を融着密閉させ、例えばミニウェットティッシュの如き形状の収納袋Ａとする訳である。【０００６】但しその揮発物非透過性シート１の適宜箇所、例えば隅部には単数又は複数の切れ込みないし貫通孔３が設けられているが、その上には粘着フィルムのような仮貼着シート（フィルムの意味も含む）４が貼着されており、そのままではいつまでも該揮発物が外部に発散することはないが、発散させたいとき、すなわち使用時には、該仮貼着シート４を剥がして貫通孔３を露出させると、そこから所望する揮発物が外部に発散することになる。【０００７】本考案の揮発性有用物質を収納したコンパクト収納袋Ａは、それが例えばアロマテラピーや様々な種類の香りを楽しむような場合は、そのまま手で保持し粘着ないし仮接着シート４を剥がして使用すればよいが、ロッカー内の除菌・消臭等に使用するような場合は、当該密閉状収納袋を平坦状にしてその片（裏）外面に、外部に対し着脱容易な付着具５を設け、これをロッカー等の内壁面や天井面に付着させて固定させるようにする。【０００８】その付着具５としては、例えばクッション性の厚手粘着シート、平板状磁石、或いは吸盤等が挙げられる。
【考案の効果】
【０００９】このように本考案によれば、携行用のティッシュ感覚で甚だ簡便にアロマテラピーなどの香りを楽しむことができる一方、なおざりにされがちなロッカーや履物箱、スキー靴内などの消臭・除菌にも簡便に対応でき、また人目につきやすいその表面は恰好の宣伝媒体用スペースになるなどの効果がある。
【考案を実施するための最良の形態】
【００１０】フィルムシートを二つ折して名刺サイズにした揮発物非透過性シート１の内側に直径約１ｃｍ、厚さ約５ｍｍのトローチ状に固形化した混合オキシダント系滅菌剤、消臭剤、或いは桧やラベンダー等の芳香剤などの揮発性有用物質２を収めて３辺をウェルダー融着する。その揮発物非透過性シート１の片面端部には１×３ｃｍ程度の粘着フィルムからなる仮接着シート４が剥がし取り可能に貼着してあり、その下に長さ約１．５ｃｍの直線状切れ込みが設けられている。該片面の端部以外の場所には広告等を印刷する。また該揮発物非透過性シート１の他面上部に厚さ２〜３ｍｍの発泡ウレタンシートからなる両面粘着テープを貼着してこれを付着具５とし、保護紙を剥がし取ってロッカー内壁面等に貼着し使用するものとする。なお個々に香り等を楽しむ場合は該付着具５は不要とする。
【実施例】
【００１１】  ポリプロピレンフィルムより成る名刺サイズ又はポケットティッシュサイズの密閉状収納袋の内部に、桧の薄板片或いは多孔質シート等に更に桧オイルもしくはフィトンチット等森林浴成分を含浸させたものを収納し、該収納袋の片側上部に数個の小孔を設けると共にその上を粘着フィルムでシールする。また含浸成分についてはその他様々な香り成分等、バラエティーに富んだものを別途用意し、広告主の要望に応えられるようにする。
【産業上の利用可能性】
【００１２】  本考案の揮発性有用物質を収納したコンパクト収納袋は身近な生活空間を甚だ簡便に快適化するのでニーズが大であるとともに、安価に量産できるので、産業上の利用可能性は十分にある。
【図面の簡単な説明】
【００１３】
【図１】本考案一例の平面図
【図２】本考案一例の断面図
【符号の説明】
【００１４】１……揮発物非透過性シート
２……揮発性有用物質
３……切れ込みないし貫通孔
４……粘着ないし仮接着シート
５……付着具
Ａ……揮発性有用物質を収納したコンパクト収納袋
【図１】
0003191562.tif 000003
【図２】
0003191562.tif 000004
(57)【要約】      （修正有）【課題】必要に応じて吸引管を取り替えるわずらわしさのない電気掃除機の吸引管を提供する。【解決手段】電気掃除機の吸引管３の適切な位置に孔をあけて曲折自在にして伸縮の自在な管１をとりつけ、その管の一端に開閉機構２を設置した。直近の位置に別タイプの吸引管が設置されているため、すぐさま使用が可能で至便であり、取り替え作業も省略できるから高能率的である。【選択図】図１
0003191570.tif 000002
【実用新案登録請求の範囲】
【請求項１】
電気掃除機の吸引管の適切な位置に孔をあけて曲折自在にして伸縮の自在な管を取り付け、開閉機構を設けることを特徴とする電気掃除機の吸引管。
【考案の詳細な説明】
【技術分野】
【０００１】この考案は電気掃除機の吸引管に関するものである。
【背景技術】
【０００２】従来、電気掃除機の吸引管はその吸入口のタイプの変更を欲するときは別個に準備をされた吸引管の取り替えによって使用がなされてきた。
このわずらわしさの解消を目的とする。
【考案の開示】
【考案が解決しようとする課題】
【０００３】掃除の際、必要に応じて吸引管のタイプを取り替え、そののちふたたび再接続という手続きを繰り返しながら作業を継続することがわずらわしい余り、タイプ違いの吸引管は無用の長物さながらに放置をなされている状態が現状である。
【課題を解決するための手段】
【０００４】吸引管の適切な位置に孔をあけて曲折自在にして伸縮の自在な管を接続し、適切な場所に開閉機構を設ける。
【考案の効果】
【０００５】直近の位置に別タイプの吸引管が設置されているため、すぐさま使用が可能で至便であり、取り替え作業も省略できるから高能率的である。
【考案を実施するための最良の形態】
【０００６】曲折自在にして伸縮の自在な管はその材質であってもまたはその構造であってもいずれでも使い勝手の良い方法で選択をしたい。
【実施例】
【０００７】曲折自在にして伸縮の自在な管の長さは３０センチから９０センチ程度が適切なバランスを得られるのでは無いか。
【産業上の利用可能性】
【０００８】迅速にして簡単な使用動作が期待でき、且つ製作費もかさまない。
【図面の簡単な説明】
【０００９】
【図１】正面図
【符号の説明】１  曲折自在にして伸縮の自在な吸引管            ２  開閉機構
３  吸引管                          ４  持ち手
５  吸引連結管
【図１】
0003191570.tif 000003
【手続補正書】
【提出日】平成26年3月7日(2014.3.7)
【手続補正１】
【補正対象書類名】実用新案登録請求の範囲
【補正対象項目名】全文
【補正方法】変更
【補正の内容】
【実用新案登録請求の範囲】
【請求項１】
電気掃除機の吸引管の適切な位置に孔をあけて曲折自在にして伸縮の自在な管を取り付け、曲折自在にして伸縮の自在な管の一端に開閉機構を設けることを特徴とする電気掃除機の吸引管。
(57)【要約】      （修正有）【課題】入れ歯と水を入れるだけで、容易に洗浄が出来、尚且つ使用後に器を洗うことなく破棄することが出来る衛生的な使い捨て入れ歯洗浄バックを提供する。【解決手段】１枚のフイルムを折り曲げて使用する場合は１枚、それ以外の場合は２枚から数枚のフイルムの上部開口部位以外の端端を接着し、トップ開口部位に１〜２重３重と適宜にジッパーを付け、底部については両サイドの一部を対称的にカットし、その端部を接着したり、又は底部にまちや窪みを設けた袋の中に、入れ歯洗浄剤や時にはブラシをも袋に備え付け、使用後は破棄する。【選択図】図２
0003191568.tif 000002
【実用新案登録請求の範囲】
【請求項１】
１枚のフイルムを折り曲げて使用の場合は１枚それ以外の場合は２枚から数枚のフイルムの上部開口部位以外の端端を接着し袋状にし、トップ部の開口部位に１〜２重３重と適宜にジッパーを付け、底部については両サイドの一部を対照的にカットし、その端部を接着したり又は底部にまちや窪みを設けた袋の中に、入れ歯洗浄剤を備え付け、使用後は破棄することを特徴とする使い捨て入れ歯洗浄バック。
【考案の詳細な説明】
【技術分野】
【０００１】  本考案は入れ歯洗浄に使用した後、衛生上破棄するための簡易入れ歯洗浄バックに関するものである。
【背景技術】
【０００２】  従来の入れ歯洗浄には器を使用するため病のある場合や旅行先又、災害時おいて使用後の器の洗浄が苦痛であり難しい場合に使用後その器を捨てることが出来ることが望ましいがその様なものは知られていない。
【考案が解決しようとする課題】
【０００３】  従来の入れ歯洗浄には洗浄保管の為、器と洗浄剤の用意が必要であるが洗浄剤入りのバックであれば其れに入れ歯と水を入れるだけで、容易に洗浄が出来、尚且つ使用後に器を洗うことなく破棄することが出来る衛生的な使い捨て入れ歯洗浄バックを提供することが課題である。
【課題を解決するための手段】
【０００４】  上記課題を解決する為に軽量で水漏れしない素材であれば、紙、合成樹脂等、素材は問わないがその素材を使用して作成したバックのトップジッパー部より入れ歯と水を注ぐだけでバック中に付帯する洗浄剤により洗浄をし、使用後はバックを破棄することにより容易に衛生的な入れ歯洗浄が可能となる。
【考案の効果】
【０００５】  従来、器を使用しての入れ歯洗浄は、病のときや出先にて行う場合、器の水切りや洗浄が容易でないが、使い捨て入れ歯洗浄バックを使用することは、既に洗浄剤が入っている為容易に洗浄することが出来、又器の洗浄も不要なので衛生面に於いても充分に効果がある。
【図面の簡単な説明】
【０００６】
【図１】バックの正面図
【図２】水を入れての使用時バック底部を斜め横から見た図
【図３】バック底部両サイドの一部を対照的にカットした場合の正面図
【図４】水を入れての使用時バック底部両サイドの一部を対照的にカットした場合を斜め横から見た図
【図５】バック底部内にまちを付けた場合の正面図
【図６】水を入れての使用時バック底部内にまちを付けた場合を斜め横から見た図
【実施例】
【０００７】本考案の実施の携帯を図１から図２図３図４図５図６にもとずいて説明する。
図１のトップに備えたジッパーは入れ歯や水を出し入れする開口口である。
中には入れ歯洗浄剤が付帯されている。
図２は図１に入れ歯や水をいれこぼれない為にジッパーを閉じた場合を斜め横から見た形態を示す。
図３は底部両サイドを対照的にカットした場合の正面を示すものであり、中には入れ歯洗浄剤が付帯されている。
図４はトップのジッパーを開き入れ歯と水を入れ使用した状態において安定の為底部両サイドの一部を対照的にカットし接着した場合の底部の形態を示す。
図５は底部内側にまちを付けたバックで中には入れ歯洗浄剤が付帯されている。
図６はトップのジッパーを開き入れ歯と水を入れた使用時に底部の内側まちが広がり安定する形態を示す。【０００８】  本考案を実施するうえでの素材はたゆむ事の出来る合成樹脂か水の漏らない加工済みの紙など素材を問わないが、たゆむ事が出来、且つ水の漏らないという条件を満たすものが望ましく図１図３図５に示す形態は１重に限らず幾重にでも備え付けたジッパーＱを開閉することにより入れ歯や水の出し入れに使用し又水を入れた使用時にそれらが倒れてもこぼれる事が無いように閉じることが出来、これら全てのバックには１回分の入れ歯洗浄剤が入っており、図２図４図５は水を入れ使用している形態を示すものであるがこの状態の安定を図る為に図２に示すように底部を窪ませたり図３図４に示すように両隅を同じにカットしたり図５図６に示すように底部内にまちを入れたりして使用時の安定をはかるものである。
【符号の説明】
【０００９】〔Ｑ〕  バックのトップ部にバックの開閉の為に取り付けたジッパー。
〔・・・・〕外から見えない部分。
【図１】
0003191568.tif 000003
【図２】
0003191568.tif 000004
【図３】
0003191568.tif 000005
【図４】
0003191568.tif 000006
【図５】
0003191568.tif 000007
【図６】
0003191568.tif 000008
【手続補正書】
【提出日】平成26年3月31日(2014.3.31)
【手続補正１】
【補正対象書類名】実用新案登録請求の範囲
【補正対象項目名】全文
【補正方法】変更
【補正の内容】
【実用新案登録請求の範囲】
【請求項１】
１枚のフイルムを折り曲げて使用する場合は１枚、それ以外の場合は２枚から数枚のフイルムの上部開口部位以外の端端を接着し、トップ開口部位に１〜２重３重と適宜にジッパーを付け、底部については両サイドの一部を対称的にカットし、その端部を接着したり、又は底部にまちや窪みを設けた袋の中に、入れ歯洗浄剤や時にはブラシをも袋に備え付け、使用後は破棄することを特徴とする使い捨て入れ歯洗浄バッグ。
(57)【要約】      （修正有）【課題】車の中や、クローゼットの中、感染の恐れのある場所に使うと重宝なダンボールコロほこりとりを提供する。【解決手段】略直方形状のダンボール１の底を開口し、側面に粘着性のフィルムをはった円柱形状のボール紙で作られた回轉軸２を、ダンボールの側面で軸支３し、ダンボールの上面の中央部に孔５を開け、この孔５にボール紙で作られた細長い円柱形状の取手４を差し込んだ。【選択図】図１
0003191565.tif 000002
【実用新案登録請求の範囲】
【請求項１】
ダンボールの底のない箱に横に軸棒を通し中にボール紙の円柱を外面をフィルムでおおった粘着紙をほったもので作り、その円柱を車輪のようにころがるようにする。フィルムは使う時はがす。
ダンボールの箱の上部は孔を眞中にあけ、やはり、ボール紙で作った長い円柱をその孔に差しこみ、ダンボールの箱型ほこりとりを前後に動かしてほこりをとることが出来る。
車の中や、クローゼットの中、感染の恐れのある場所に使うと重宝である。
【考案の詳細な説明】
【図面の簡単な説明】
【図１】本案の斜視図である１．ダンボールの箱、２  ボール紙（粘着紙貼布）円柱  ３  軸棒  ４．ボール紙の柄、５  箱の上の孔  ６  伸縮する柄体  ７  柄の下方の切り込み（安定させる為）
【図１】
0003191565.tif 000003
【手続補正書】
【提出日】平成26年3月31日(2014.3.31)
【手続補正１】
【補正対象書類名】明細書
【補正対象項目名】全文
【補正方法】変更
【補正の内容】
【考案の詳細な説明】
【考案を実施するための形態】
【０００１】ダンボールの底のない箱に横に軸棒を通し、中にボール紙の円柱を外面をフィルムでおおった粘着紙をはったもので作り、その円柱を車輪のように、ころがるようにする。フィルムは使う時はがす。
ダンボールの箱の上部は、孔を眞中にあけ、やはり、ボール紙で作った長い円柱を、その孔に差し込み、ダンボールの箱型ほこりとりを前後に動かして、ほこりをとることが出来る。
車の中や、クローゼットの中、感染の恐れのある場所に使うと重宝である。
【図面の簡単な説明】
【図１】本案の斜視図である。１  ダンボールの箱．２．ボール紙円柱（粘着紙貼布）  ３  軸棒  ４  ボール紙の柄  ５．箱の上の孔  ６．伸縮する柄体  ７  柄の下方の切りこみ（安定させる爲）
【手続補正２】
【補正対象書類名】実用新案登録請求の範囲
【補正対象項目名】全文
【補正方法】変更
【補正の内容】
【実用新案登録請求の範囲】
【請求項１】
略直方形状のダンボールの底を開口し、側面に粘着性のフィルムをはった円柱形状のボール紙で作られた回轉軸を、ダンボールの側面で軸支し、ダンボールの上面の中央部に孔を開け、この孔にボール紙で作られた細長い円柱形状の取手を差し込んだことを特徴とするダンボール  ほこりとり。
【手続補正３】
【補正対象書類名】図面
【補正対象項目名】全図
【補正方法】変更
【補正の内容】
【図１】
0003191565.tif 000004
(57)【要約】      （修正有）【課題】簡便な操作性を実現可能で、また、背負っている最中でもお店などで容易にお会計の事務処理が可能なような位置にお財布入れなどの小物入れを備えたリュックサックを提供する。【解決手段】荷物収納袋１に小物入れ袋２が固着されたリュックサック１０に於いて、前記小物入れ袋は、背負う時と下ろすときの操作性を念頭に置いた頭部を通過させる首通し部２ａと肩が当接する肩掛け部２ｂとを備え、前記荷物収納袋および前記小物入れ袋に於いてこれらの開封の手段としてチャック１ａ，２ｃ、またはボタン、または紐を備え、前記荷物収納袋に着脱凹部４を固着した凹側両肩腕通しベルト５を固着し、前記着脱凹部に嵌合する着脱凸部４が固着される凸型両肩腕通しベルト３を固着した。【選択図】図１
0003191593.tif 000002
【実用新案登録請求の範囲】
【請求項１】
荷物収納袋に小物入れ袋が固着されたリュックサックに於いて、前記小物入れ袋は、背負う時と下ろすときの操作性を念頭に置いた頭部を通過させる首通し部と肩が当接する肩掛け部とを備えたことを特徴とする、リュックサック。
【請求項２】
前記荷物収納袋に着脱凹部を固着した凹側両肩腕通しベルトを固着し、前記着脱凹部に嵌合する着脱凸部が固着される凸型両肩腕通しベルトを固着したことを特徴とする、請求項１記載のリュックサック。
【考案の詳細な説明】
【技術分野】
【０００１】  この考案は、荷物の持ち運びの手段の一つである、両腕肩にベルトを通して背中に背負う方式のリュックサックに関する。
【背景技術】
【０００２】  従来、リュックサックに肩かけ紐を備えたものがある。（例えば特許文献１参照）。
また、ポーチなどの小物入れを備えたリュックサックがある。（例えば特許文献２参照）。
【先行技術文献】
【特許文献】
【０００３】
【特許文献１】  実用新案登録３１６２５５９号
【特許文献２】  特開２００１−１９０３２９号
【考案の概要】
【考案が解決しようとする課題】
【０００４】  上記のような従来のリュックサックは、単に肩かけ紐を追加で備えたものは持ち運ぶ際には重心が安定し運びやすいという利便性が無いとは言えないが左右両片腕にベルトを通して背負う動作を行う際、肩かけ紐がない従来品使用時に於いて特に顕著な肩関節の苦しさを除去するうえでは何の解決にもならないという問題があった。（文献１）【０００５】  また、ポーチなどの収納袋を備えたものに関しては皮革部の面に付属しているという点で更なる材料節約の余地があるのではないか、また、リュックサックを背負った時点で小物入れが背面に来るのでお会計の時に、お財布の出し入れや金銭の授受などの事務処理が容易に進まないという問題があった。（文献２）
以上のような問題点があった。【０００６】  この考案は、上述のような問題点を解決するためになされたもので、通常利用者にとっても背負ったり下ろしたりするときに従来品より簡便な操作性を実現可能であるだけでなく四十肩や五十肩等の肩の痛みに苦しむ方でも安楽に簡便に背負ったり下ろしたりすることができ、また、背負っている最中でもお店などで容易にお会計の事務処理が可能なような位置にお財布入れなどの小物入れを備えたリュックサックを得ることを目的とする。
【課題を解決するための手段】
【０００７】  そこで、この考案の、リュックサックは、荷物収納袋に小物入れ袋が固着されたリュックサックに於いて、前記小物入れ袋は、背負う時と下ろすときの操作性を念頭に置いた頭部を通過させる首通し部と肩が当接する肩掛け部とを備えたことを特徴とするものである。【０００８】  また、この考案の、リュックサックは荷物収納袋に着脱凹部を固着した凹側両肩腕通しベルトを固着し、着脱凹部に嵌合する着脱凸部が固着される凸型両肩腕通しベルトを固着したことを特徴とするものである。
【考案の効果】
【０００９】  この考案の、リュックサックは荷物収納袋に着脱凹部を固着した凹側両肩腕通しベルトを固着し、前記着脱凹部に嵌合する着脱凸部が固着される凸型両肩腕通しベルトを固着したことを特徴とすることにより、通常利用者のみならず肩痛を有する者でも安楽で簡便なリュックの着（背負い動作）脱（おろし動作）が行えるという点で役立つ。また、同じく小物収納袋を備えたことで、リュックを背負った状態であってもお店などでの簡便なお会計処理等が可能であるという点でも優れている。
【図面の簡単な説明】
【００１０】
【図１】本考案の実施例の一つであるリュックサックの使用状態図である。
【図２】本考案の実施例の一つであるリュックサックを示す正面図である。
【図３】本考案の実施例の一つであるリュックサックを示すＡ視側面図である。
【図４】本考案の実施例の一つであるリュックサックを示す図２の上面図である。
【実施例１】
【００１１】  図１はこの考案の実施例の一つである１０のリュックサックの使用状態図であり、イメージ図である。図２はこの考案の実施例の一つである１０のリュックサックを示す正面図であり、図３はそのＡ視側面図である。図４は図２の上面図である。１は荷物収納袋であり、従来品の荷物収納袋で通常想定内で構成要素中最大容量・最大重量を呈する要素である。１ａは大チャックであり１に荷物を出し入れする際に開閉させて用いる。２は本考案の荷物収納袋を背負った状態でも胸元付近の目前の手元作業で容易にお会計ができる可能性を提案するお財布など小物入れ袋であり、２ａの首通し部、２ｂの肩掛け部、２ｃの小チャックから成り、２ｃは小物入れに荷物を出し入れする際に開閉させて用いる。２ｃの小チャックはチャックまたはボタンまたは紐などでも良い。２ｂの肩掛け部は従来品より帯状の部分の太さを増していることで、荷物の荷重が一点に集中しないので１０のリュックサック全体荷重の肩への食い込み苦痛を低減している。３は凸側肩腕通しベルト、５は凹側肩腕通しベルトであり、利き腕（肩）とは逆の腕（肩）を反対側のベルトに貫通する際、首が支えになるという特徴を２ａは有し、３、５に固着されて付随する４の着脱凸部、６の着脱凹部は、特に利き腕側はベルト長さをあらかじめ調節して接続させ、利き肩腕を通しながら２ａに首を通し、利き腕と反対側は各々の着脱作業を２ａへの先述の首通しと連動して適宜行うコツを習得することで、従来の荷物収納袋のベルトと比較して最後に通す腕の肩関節可動域への負担を緩和している。そして通常利用者のみならず肩痛を有する者でも安楽で簡便なリュックサックの着（背負い動作）脱（おろし動作）が行えるという点で役立つ。以上が基本構造である。
【符号の説明】
【００１２】１      荷物収納袋
１ａ    大チャック
２      小物入れ袋
２ａ    首通し部
２ｂ    肩掛け部
２ｃ    小チャック
３      凸側肩腕通しベルト
４      着脱凸部
５      凹側肩腕通しベルト
６      着脱凹部
１０    リュックサック
【図１】
0003191593.tif 000003
【図２】
0003191593.tif 000004
【図３】
0003191593.tif 000005
【図４】
0003191593.tif 000006
(57)【要約】      （修正有）【課題】ペットのリクガメを屋外に散歩に連れ出すときに装着するリクガメ用のハーネスを提供する。【解決手段】カメの腹甲羅幅に合わせて成形した長方形状の胸当ての両側に、面ファスナー５付の長尺状の主バンド２ならびに副バンド３を設け、カメの頭側に位置する主バンドに、胸当てを中心として左右対称位置に環体４を設ける。この環体にリード９をつなぐためのリング８付き金具を着脱可能に接続する。【選択図】図４
0003191598.tif 000002
【実用新案登録請求の範囲】
【請求項１】
（イ）カメの腹甲羅幅に合わせて形成した長方形状の胸当て（１）の両側に、長尺状の主バンド（２）を設け、
（ロ）胸当て（１）の両側に長尺状の副バンド（３）を設け、
（ハ）主バンド（２）に、胸当て（１）を中心として左右対称位置に環体（４）を設け、
（ニ）主バンド（２）の両端ならびに副バンド（３）の両端それぞれに面ファスナー（５）を設けた、
リクガメ用のハーネス。
【考案の詳細な説明】
【技術分野】
【０００１】  本考案は、ペットのリクガメを屋外に散歩に連れ出すときに装着する、リクガメ用のハーネスに関するものである。
【背景技術】
【０００２】  従来はリクガメ用のハーネスがなかった。
【考案の概要】
【考案者が解決しようとする課題】
【０００３】  リクガメは本来、大地を歩き回る生き物なので、屋外の広いスペースを散歩させたり日光浴させるために、飼育者はペットのリクガメを公園や空き地に連れ出すことがある。
散歩するペットのなかでも犬やウサギには専用のハーネスが市販されているので、飼い主はハーネスにリードをつないでペットの動きをコントロールすることができるが、カメ用のハーネスは市販されていないので、リクガメの散歩はリードなしで行われている。
リクガメは世間一般で思われているよりも歩行が速く、甲羅が保護色であるために、飼い主が少しでも気を抜くと容易に見失うし、また、カラスに連れ去られる心配もあることから、飼い主がカメをリードでつないで散歩できることが望ましい。市販の四足動物用のハーネスをカメ使用したとしても、カメは手足を甲羅に引っ込めてしまうと岩のようになってしまうため、前足がすっぽ抜けてしまい、ハーネスとして機能しなくなってしまう。
本考案は、この問題点を解決するためになされたものである。
【課題を解決するための手段】
【０００４】  カメの腹甲羅幅の胸当てに面ファスナー付きの２組のバンドを設け、うち頭側のバンドに環体を左右２か所に取り付け、ここにリードをつなぐためのリング付金具を接続する。
以上の構造によりなるリクガメ用のハーネス。
【考案の効果】
【０００５】  ハーネスを装着することによって、リクガメにリードをつけられるようになり、迷子やカラスによる連れ去りを心配することなく散歩させられるようになった。
【図面の簡単な説明】
【０００６】
【図１】本考案の平面図
【図２】本考案の従属物であるリング付金具の平面図
【図３】本考案の使用状況を示す側面図
【図４】従属物を取り付けた本考案の使用状況を上側から示す平面図
【考案を実施するための形態】
【０００７】以下、本考案の実施の形態を説明する。
（イ）カメの腹甲羅幅に合わせて形成した長方形状の胸当て（１）の両側に、長尺状の主バンド（２）を設ける。
（ロ）胸当て（１）の両側に長尺状の副バンド（３）を設ける。
（ハ）主バンド（２）に、胸当て（１）を中心として左右対称位置に環体（４）を設ける。
（ニ）主バンド（２）の両端ならびに副バンド（３）の両端それぞれに面ファスナー（５）を設ける。
本考案は以上のような構造である。
本考案を使用するときは、まず、胸当て（１）の上にカメを乗せて、主バンド（２）ならびに副バンド（３）を甲羅背中に回し、それぞれ背中中央で面ファスナー（５）を着脱可能に留める。
本考案に、市販の引き紐であるリード（９）を、図２のリング付金具を介して着脱可能に取り付ける。このとき、リード（９）に接続したリング（８）に設けた、二股状に分かれた革テープ（６）の先端のナスカン（７）を、本考案の環体（４）に着脱可能に接続する。
【符号の説明】
【０００８】１  胸当て、２  主バンド、３  副バンド、４  環体、５  面ファスナー、
６  革テープ、７  ナスカン、８  リング、９  リード
【図１】
0003191598.tif 000003
【図２】
0003191598.tif 000004
【図３】
0003191598.tif 000005
【図４】
0003191598.tif 000006
(57)【要約】      （修正有）【課題】柄の先端が上に向くコーム保持状態において、小指がしっかりと引っかかる形状にすることで落下しにくいコームを提供する。【解決手段】柄１と歯２と突起３と指かけ窪み４で構成され、手で握った際に指かけ窪み４に小指があたる状態になることで手から滑り落としにくい、指かけ窪みを有するコームであることを特徴とする。【選択図】図１
0003191595.tif 000002
【実用新案登録請求の範囲】
【請求項１】
柄（１）と歯（２）の間に指の厚みと同程度の高さの突起（３）を設けた形状で、その突起（３）と歯（２）の間に指が入る程の窪みを設け、その窪み部分を指かけ窪み（４）とした、指がかかる窪みを有するコーム。
【考案の詳細な説明】
【技術分野】
【０００１】  この考案は、柄（１）と歯（２）と突起（３）と指かけ窪み（４）で構成される、手から滑り落としにくいコームである。
【背景技術】
【０００２】  従来のコームは柄の表面がフラットなものが多く、柄の先端が上に向くコーム保持状態において手から滑らせて落下しやすかった。柄の部分に浅い突起を有するコームはあったが、小指を覆うようなポケットは存在せず、落下防止機構としては不十分であった。
カラーリングや散髪などの作業を業務で行っている場合では、落下したコームは不衛生であるため落下していないコームと交換する手間なども発生し、作業効率が悪かった。
【先行技術文献】
【特許文献】
【考案の概要】
【考案が解決しようとする課題】
【０００３】  散髪やカラーリングなどの作業においてコームを手に持つ際は、歯先側を指側にして、歯の部分を握るようにして持つ。そして小指は、柄の部分を握る。しかし、柄の先端が上に向くコーム保持状態において、従来のコームでは柄の部分の滑り止め機構が不十分で、手から滑り落としやすい。
本案はこれを、手から滑り落ちにくいようにコームの形状を改良することで解決しようとするものである。
【課題を解決するための手段】
【０００４】  本案は、柄（１）と歯（２）の間に指の厚みと同程度の高さの突起（３）を設けた形状で、その突起（３）と歯（２）の間に指が入るほどの窪みを設け、その窪み部分を指かけ窪み（４）としたコームである。
【考案の効果】
【０００５】  本案のコームは、手で握る際に指かけ窪み（４）に小指がかかる状態になる。そのため、柄の先端が上に向くコーム保持状態において、指の厚みと同程度の高さの突起（３）に小指があたるため手から滑り落としにくい。
【図面の簡単な説明】
【０００６】
【図１】本案の形態を示した正面図である。
【考案を実施するための形態】
【０００７】  本案を実施する形態においては、小指をしっかりと覆えるように、指の厚みの平均値を考慮する必要がある。設計においては、突起（３）の高さはおよそ１センチメートル、指かけ窪み（４）の幅および深さはおよそ２センチメートルが最適である。
【符号の説明】
【０００８】  １  柄
２  歯
３  突起
４  指かけ窪み
【図１】
0003191595.tif 000003
(57)【要約】      （修正有）【課題】ベッドから車椅子やポータブルトイレに楽に移動させられる姿勢を作る足置き台を提供する。【解決手段】円形の底板１と９０°毎にストッパーで止まるレバー付回転金具２と補強板３の２枚と円形の足置き板４からなる足置き台であって円形の底板１に円形の足置き板４を補強板３の２枚で回転金具２に固定させ９０°毎にストッパーで止まり左右に３６０°回転することを特徴とする。【選択図】図１
0003191591.tif 000002
【実用新案登録請求の範囲】
【請求項１】
円形の底板と９０°毎にストッパーで止まるレバー付回転金具と補強板２枚と円形の足置き板からなる足置き台であって円形の底板に円形の足置き板を補強板２枚で回転金具に固定させ９０°毎にストッパーで止まり左右に３６０°回転することを特徴とする足置き台
【考案の詳細な説明】
【技術分野】
【０００１】本考案はベッドから車椅子やポータブルトイレに楽に移動させられる姿勢を作る回転台である
【背景技術】
【０００２】今までは、ベッドから立たせて抱き抱え９０°に介護者を引きずるような形で体を回して、車椅子やポータブルトイレに座らせる方法しかなかった
【考案の概要】
【考案が解決しようとする課題】
【０００３】介護者と介護する方の双方が力を入れなくて腰に負担をかけずベッドから車椅子やポータブルトイレに座らせる姿勢を作れるようになった
【課題を解決するための手段】
【０００４】本考案は、ベッドの下に足置き回転台を置いて、その上に介護者の足を置き、抱き抱えながら立たせて９０°に体を回転させ、車椅子やポータブルトイレに座らせる姿勢にするように解決している
【考案の効果】
【０００５】本考案は、ベッドから車椅子やポータブルトイレに移すのに腰の負担やいらない力を軽減する事で、双方が精神的にも肉体的にも満足していただける
【図面の簡単な説明】
【０００６】
【図１】横から見た図面
【考案を実施するための形態】
【０００７】回転台は横から見ると底板と９０°で止まるストッパー付きの回転金具とその回転金具と足置き板を補強する板２枚で構成されている
【実施例】
【０００８】以下添付図面に従って実施例を説明する
本体は耐久性に優れた木材による回転台で、円形の底板の上に回転金具を取り付け金具の上部に左右の補強板２枚で上部の足置き台を固定させる
【符号の説明】
【０００９】▲１▼円形の底板  ▲２▼ストッパー付の回転金具  ▲３▼補強板  ▲４▼円形の足置き板
【図１】
0003191591.tif 000003
(57)【要約】      （修正有）【課題】案内を求めようとする内容を瞬時に示すことができ、いかなる言語が使用される地域においても使用可能な、旅行者が案内を求めるためのカバンを提供する。【解決手段】カバン１の表面に、旅行者が利用する施設を示す絵文字２を複数表示する。絵文字２はカバン１表面のいずれの位置に表示しても良い。絵文字２で表示する施設は、旅行者が旅先での行動において、平時又は緊急時に必要とする施設、例えば飛行場、タクシー乗り場、トイレ、荷物の預かり場所、エスカレーターやエレベータ−、喫煙場所、病院などとすれば、世界どこでも使用することができる。地域限定とすることを前提に施設を選択することもでき、特定に地域の観光名所を絵文字で表示することも考えられる。【選択図】図１
0003191555.tif 000002
【実用新案登録請求の範囲】
【請求項１】
カバンの表面に、旅行者が利用する施設を示す絵文字を複数表示したカバン
【請求項２】
カバンはトートバッグとし、その正面及び背面の双方又はいずれか一方に絵文字を複数表示した、請求項１記載のカバン
【考案の詳細な説明】
【技術分野】
【０００１】
この考案は、言葉の通じない地域を旅行する旅行者が、自己が利用しようとする施設の場所を現地の人に案内を求める際の利便性を提供するカバンである。
【背景技術】
【０００２】
言葉の通じない地域を旅行する旅行者は、目的とする場所へ行くための案内を求めようとしても、言葉を使うことができない。目的とする場所が観光名所などであれば、ガイドブックを提示して案内を求めることができる。しかしながら、トイレ、タクシー乗り場、荷物の預かり場所など、旅先での行動に不可欠な施設の場所は、ガイドブックにはほとんど掲載されていないので、聞くすべがないことも多い。
【０００３】
このような問題を解決するために、日本語の文とこれに対応する現地語の文とを併記し、旅行者が求める内容が書かれている文を現地の人に見せて案内を求めることができるようにした書籍（対訳書）が発行されている。
しかしながら、対訳書の中から希望する文を瞬時に選び出すことは難しく、また使用する際には荷物の中から対訳書を取り出さなければならない。加えて、使用される言語ごとに対訳書を用意しなければならない。
【０００４】
従来から絵文字は広く使用されているものであるが、案内を求める事項を示す目的で使用されている例はない。
たとえば、パソコンにおいては起動するプログラムを起動させる手段として、また携帯電話機では所望の操作を指示する手段として絵文字（アイコン）が使用されているが、このような用途は操作を指示するためのスイッチであり、対話の道具としての用例は存在しない。
【考案の開示】
【考案が解決しようとする課題】
【０００５】
この考案は、案内を求めようとする内容を瞬時に示すことができ、いかなる言語が使用される地域においても使用可能な、旅行者が案内を求めるための手段を得ようとするものである。
【課題を解決するための手段】
【０００６】
この考案は、カバンの表面に、旅行者が利用する施設を示す絵文字を複数表示することにより、上記課題を解決するものである。絵文字はカバン表面のいずれの位置に表示しても良いが、正面及び背面の双方又はいずれか一方が使いやすい。そして、カバンのタイプに制約はなく、スーツケースやボストンバッグ、ショルダーバッグでも良いが、絵文字の表示しやすさ、見せやすさの観点から、カバンとしてはトートバッグが好ましい。
【０００７】
絵文字で表示する施設は、旅行者が旅先での行動において、平時又は緊急時に必要とする施設、例えば飛行場、タクシー乗り場、トイレ、荷物の預かり場所、エスカレーターやエレベータ−、喫煙場所、病院などとすれば、世界どこでも使用することができる。地域限定とすることを前提に施設を選択することもでき、特定に地域の観光名所を絵文字で表示することも考えられる。
なお、カバンの表面に絵文字を表示するに際しては、絵文字のみを表示する必要はなく、絵文字と言語機能のない模様図柄とを併記してもよい。
【０００８】
カバンに絵文字を表示する手法としては、印刷が一般的であろうが、スタンプによる捺印や、布製のバッグであれば刺繍によって表示することもできる。また、絵文字を印刷したシートを用意し、このシートをカバンの表面に貼り付けたり縫い付けたりして表示することもできる。
【考案の効果】
【０００９】
この考案によれば、旅行者はカバンの表面に表示された絵文字を指し示すのみで、対訳書の該当頁を探す必要もなく、言葉の通じない場所でも容易に道案内を求めることができる。
【図面の簡単な説明】
【００１０】
【図１】この考案実施例の正面図である。
【実施例】
【００１１】
図はこの考案実施例のカバン（トートバッグ）１の正面図である。正面には２４種の絵文字２が表示してある。
【００１２】
このカバンを持った旅行者は、例えばトイレの場所を探しているときにはトイレを示す絵文字２ａを指さして現地の人に示せば、言葉が通じなくとも「トイレを探している。場所を教えてほしい。」という旅行者の意思を現地の人に伝えることができる。
しかも、絵文字はカバンの表面に表示されているので、対訳書の該当頁を探す必要もなく、瞬時に案内を求めることができる。
【産業上の利用可能性】
【００１３】
この考案は、言葉の通じない国や地域での旅行者の活動を補助するものであり、産業上の利用可能性を有するものである。
【符号の説明】
【００１４】
１    カバン
２    絵文字
２ａ  トイレを示す絵文字
【図１】
0003191555.tif 000003
(57)【要約】      （修正有）【課題】無線でシャッターを制御して、遠く離れている所からリモートコントロール撮影ができるカメラ装置を提供する。【解決手段】カメラ装置の本体とカメラ装置の本体をリモートコントロールできるブルートゥースリモコンからなり、カメラ装置本体の電気基板にはブルートゥースモジュールを導電性接続で付け、カメラ装置本体はブルートゥースモジュールを通して、ブルートゥースリモコンに無線で接続する。カメラ装置の本体はデジタルカメラ、撮影及び／又は録画機能が搭載されている携帯又はタブレットでも良い。【選択図】図１
0003191560.tif 000002
【実用新案登録請求の範囲】
【請求項１】
ブルートゥースリモートコントロール式のカメラ装置であり、カメラ装置の本体と、カメラ装置の本体をリモートコントロールできるブルートゥースリモコンと、前記カメラ装置の本体の電気基板には導電性接続でブルートゥースモジュールを付けて、前記カメラ装置の本体は前記ブルートゥースモジュールを通して、前記ブルートゥースリモコンに無線にて繋がることとを特徴とするカメラ装置。 
【請求項２】
前記カメラ装置の本体はデジカメラ、撮影及び/又は録画機能が搭載されている携帯又はタブレットであることを特徴とする請求項１記載のブルートゥースリモートコントロール式のカメラ装置。
【考案の詳細な説明】
【技術分野】
【０００１】
本考案はデジタル製品に関わり、特にブルートゥースリモートコントロール式のデジタルカメラ及び撮影、録画機能が搭載されているスマートフォン、タブレットなどの装置に関わる。 
【背景技術】
【０００２】
社会経済の発展及び人類の生活レベルの向上に伴って、デジタル製品も時代の要求に応じて生まれた。デジカメの場合は尚更である。現在の生活レベルがますます向上し、旅行とレジャーは我々が仕事を終わらせた後で、リラックスと娯楽をするための一種の方法になった。通常に言うと、大勢の人達がカメラか携帯を持って、自分ならではの旅行風情写真を撮って、目の前の美しい景色を家に持ち帰り、親戚と友達に分かち合う。しかしながら、現在のデジカメや携帯で撮影する時に、皆、使用者にシャッターを押してもらう必要があり、自分が自分の写真を撮る時に、他人に手伝ってもらうか、カメラの遅延機能を使用するしかない。この二つの方法はどちらも不便であり、使用に障碍を齎している。自分を目の前の美しい景色に溶け込むことができなく、旅行観光者に残念感を残し、ひいては、旅行観光者のゆったりとした気分にも影響されてしまうことになる。 
【考案の概要】
【考案が解決しようとする課題】
【０００３】
本考案の目的は有効的に上記技術の不足を克服し、無線のブルートゥースにてコントロールするブルートゥースリモートコントロール式のカメラ装置を提供することにある。当該カメラ装置は無線のブルートゥースを通して、撮影や遠距離の自分撮りを実現できる。    
【課題を解決するための手段】
【０００４】
本考案の課題解決手段は下記のように実現している：ブルートゥースリモートコントロール式のカメラ装置、この装置はカメラ装置の本体とカメラ装置の本体をリモートコントロールするブルートゥースリモコンを保持する。前記カメラ装置の本体の電気基板にはブルートゥースモジュールを導電性接続で付け、前記カメラ装置の本体は前記ブルートゥースモジュールを通して、前記ブルートゥースリモコンに無線で接続する。 
【０００５】
前記カメラ装置の本体はデジカメ、撮影及び/又は録画機能付の携帯或はタブレットである。
【考案の効果】
【０００６】
本考案の有益な効果は下記にある。本考案は現在のカメラ、携帯、タブレットなど、撮影及び/又は録画機能付の装置の電気基板にブルートゥースモジュールを付け、そして、ブルートゥースリモコンを配備する。ブルートゥースリモコンはブルートゥースモジュールを通して、カメラ装置のブルートゥースに接続し、ブルートゥースがカメラ装置を制御することを実現できる。そのため、自分撮り、又は記念写真を撮る時に、他人の手伝いが要らず、遅延撮影機能も要らずに、直接にカメラ装置を固定し、位置を調整し、使用者は手でブルートゥースリモコンを握り、無線でシャッターを制御して、撮影できる。自分を撮影する者は１０メートル、さらに遠く離れている所でデジカメをリモートコントロールして撮影できる。その操作が簡単で、制御が安全で、信用性が高く、実用性が強いのである。
【図面の簡単な説明】
【０００７】
【図１】図１は本考案の原理枠図である。
【考案を実施するための形態】
【０００８】
添付した図面と実施例にしたがって、本考案を更に説明する。 
【０００９】
図１を参照する。本考案は一種のブルートゥースリモートコントロール式のカメラ装置であり、この装置はカメラ装置の本体とカメラ装置の本体をリモートコントロールできるブルートゥースリモコンがある。前記カメラ装置の本体の電気基板にはブルートゥースモジュールを導電性接続で付け、前記カメラ装置の本体は前記ブルートゥースモジュールを通して、前記ブルートゥースリモコンに無線で接続する。メイン制御回路には撮影又は録画するための画像捕獲ユニットを付けている。 
【００１０】
前記カメラ装置の本体はデジカメ、撮影及び/又は録画機能付きの携帯またはタブレットでもいい。 
【００１１】
本考案は、現在のカメラ、携帯、タブレットなど、撮影及び/又は録画機能付きの装置の電気基板にブルートゥースモジュールを付け、そして、ブルートゥースリモコンを配備する。ブルートゥースリモコンがブルートゥースモジュールを通して、カメラ装置のブルートゥースに接続し、ブルートゥースがカメラ装置を制御することを実現できる。そのため、自分撮り、又は記念写真を撮る時に、他人の手伝いが要らず、遅延撮影機能も要らずに、直接にカメラ装置を固定し、位置を調整し、使用者は手でブルートゥースリモコンを握り、ブルートゥースリモコンにて制御信号をブルートゥースモジュールに送り、ブルートゥースモジュールが当該信号をまたメイン制御回路に送ることができる。メイン制御回路はその信号を処理した後、画像捕獲ユニットを制御して、撮影できる。自分撮影する者は１０メートル、さらに遠く離れている所でデジカメをリモートコントロールして撮影できる。その操作が簡単で、制御が安全で、信用性が高く、実用性が強いのである。
【００１２】
上記説明したのは本考案の比較的に良い実施例であり、上記の具体的な実施例に限っているわけではない。本考案の技術思考範囲内において、各種の変形や修正を行うことができる、本領域の普通の技術者が上記の説明に基づいて行った修飾、修正又は同等交換は皆本考案が保護する範囲に属するものとする。
【図１】
0003191560.tif 000003